(57)【要約】【課題】コンタクトレンズ、コンタクトレンズケース及びコンタクトレンズ用液剤ボトルのうち１以上の眼科用部材に付着した物質を可視化する。【解決手段】この液剤は、コンタクトレンズ、コンタクトレンズケース及びコンタクトレンズ用液剤ボトルのうち１以上の眼科用部材に付着する物質を染色する塩基性色素を含み、視感透過率が４０％以上９８％以下の範囲であるものである。また、この液剤の使用方法は、眼科用部材に対して上記液剤を接触させることにより、眼科用部材に付着する物質を染色するものである。【選択図】なし【特許請求の範囲】
【請求項１】
コンタクトレンズ、コンタクトレンズケース及びコンタクトレンズ用液剤ボトルのうち１以上の眼科用部材に用いられる液剤であって、
前記眼科用部材に付着する物質を染色する塩基性色素を含み、視感透過率が４０％以上９８％以下の範囲である、液剤。
【請求項２】
前記塩基性色素は、水溶液中でプラスにチャージし、微生物及びタンパク質のうち１以上を染色する、請求項１に記載の液剤。
【請求項３】
前記塩基性色素は、トリアリールメタン系色素、ジアリールメタン系色素、ベンゾチアゾール系色素、フェナジン系色素、芳香族アゾ化合物系色素、フェノチアジニウム系色素、キサンチリウム系色素及びフタロシアニン系色素のうち１以上である、請求項１又は２に記載の液剤。
【請求項４】
前記眼科用部材は、繰り返し使用可能な部材であり、
前記液剤は、コンタクトレンズ用洗浄液及びコンタクトレンズ用保存液のうちいずれかである、請求項１〜３のいずれか１項に記載の液剤。
【請求項５】
前記コンタクトレンズは、ハードコンタクトレンズである、請求項１〜４のいずれか１項に記載の液剤。
【請求項６】
請求項１〜５のいずれか１項に記載の液剤の使用方法であって、
コンタクトレンズ、コンタクトレンズケース及びコンタクトレンズ用液剤ボトルのうち１以上の眼科用部材に対して前記液剤を接触させることにより、前記眼科用部材に付着する物質を染色する、液剤の使用方法。
【発明の詳細な説明】
【技術分野】
【０００１】
本明細書で開示する発明である本開示は、液剤及びその使用方法に関し、より詳しくは、コンタクトレンズ、コンタクトレンズケース及びコンタクトレンズ用液剤ボトルのうち１以上の眼科用部材に用いられる液剤及びその使用方法に関する。
【背景技術】
【０００２】
従来、コンタクトレンズに用いられる液剤としては、例えば、水溶性着色剤を含む有色レンズケア溶液と固体吸収剤とを含み、有色レンズケア溶液による消毒及び洗浄が済む時間が経過すると固体吸収剤により水溶性着色剤が吸収されて退色し、所定の時間が経過したことが視認できるものが提案されている（例えば、特許文献１参照）。この液剤では、コンタクトレンズを装着する用意が調ったことを液剤の色の変化により確認することができるとしている。また、このような液剤としては、ビタミンＢ２類であるリン酸リボフラビンによって着色されたものが提案されている（例えば、特許文献２参照）。この液剤は、着色されているため他の液剤と視覚的に見分けることができ、消毒薬や酵素、界面活性剤などの存在を識別するのに有用であるとしている。
【先行技術文献】
【特許文献】
【０００３】
【特許文献１】特表２００９−５４４０４７号公報
【特許文献２】特開２００７−１４０２１９号公報
【発明の概要】
【発明が解決しようとする課題】
【０００４】
しかしながら、特許文献１の液剤では、所定時間が経過したことを視認することはできるが、実際にコンタクトレンズの汚れが洗浄できたのか、殺菌が十分になされたのかまではわからなかった。同様に、特許文献２の液剤においても、コンタクトレンズの汚れの存在などまではわからなかった。
【０００５】
本開示の液剤は、このような課題に鑑みなされたものであり、コンタクトレンズ、コンタクトレンズケース及びコンタクトレンズ用液剤ボトルのうち１以上の眼科用部材に付着した物質を可視化することができる液剤及びその使用方法を提供することを主目的とする。
【課題を解決するための手段】
【０００６】
上述した目的を達成するために鋭意研究したところ、本発明者らは、塩基性色素を所定の視感透過率となる範囲に添加すると、眼科用部材に付着した物質を染色し、視認可能になることを見いだし、本発明を完成するに至った。
【０００７】
即ち、本明細書で開示する液剤は、
コンタクトレンズ、コンタクトレンズケース及びコンタクトレンズ用液剤ボトルのうち１以上の眼科用部材に用いられる液剤であって、
前記眼科用部材に付着する物質を染色する塩基性色素を含み、視感透過率が４０％以上９８％以下の範囲であるものである。
【０００８】
本明細書で開示する液剤の使用方法は、
上述した液剤の使用方法であって、
コンタクトレンズ、コンタクトレンズケース及びコンタクトレンズ用液剤ボトルのうち１以上の眼科用部材に対して前記液剤を接触させることにより、前記眼科用部材に付着する物質を染色するものである。
【０００９】
この液剤及びその使用方法では、眼科用部材に付着した物質を可視化することができる。このような効果が得られる理由は、以下のように推測される。例えば、コンタクトレンズやそのケース、液剤ボトルなどに付着する異物としては、微生物、原生動物、タンパク質、カルシウム、脂質、ほこり、化粧品などが挙げられるが、これらはマイナスにチャージしているものもある。塩基性色素は、水溶液中でプラスにチャージされているため、眼科用部材に付着している物質（汚れなどの異物）と結合し、これを染色することができるものと考えられる。したがって、眼科用部材に付着している物質の存在を塩基性色素によって可視化することができる。
【図面の簡単な説明】
【００１０】
【図１】目視による色調濃さ評価を行ったサンプルの写真。
【図２】被験物をクリスタルバイオレットで染色した実体顕微鏡写真。
【図３】染色後の被験物の走査型電子顕微鏡写真。
【図４】培養した菌を付着させて染色した被験物の実体顕微鏡写真。
【図５】培養した菌を付着させて染色した被験物の実体顕微鏡写真。
【図６】培養した菌を付着させて染色した被験物の走査型電子顕微鏡写真。
【図７】培養した菌を付着させて染色した被験物の走査型電子顕微鏡写真。
【発明を実施するための形態】
【００１１】
（液剤）
本開示の液剤（以下単に液剤とも称する）は、コンタクトレンズ、コンタクトレンズケース及びコンタクトレンズ用液剤ボトルのうち１以上の眼科用部材に用いられる液剤である。この液剤は、眼科用部材に付着する物質を染色する塩基性色素を含み、視感透過率が４０％以上９８％以下の範囲であるものである。この液剤は、眼科用部材に接触させることによって、眼科用部材に付着した物質を染色し、これを可視化するものとしてもよい。
【００１２】
塩基性色素とは、ＮＨ2、ＮＨＲ1、ＮＲ1Ｒ2、（但し、Ｒ1、Ｒ2は、同じであっても異なっていてもよい置換基）などのアミノ基及び置換アミノ基などを有する色素をいう。置換基としては、例えば、アルキル基、アリール基などのうち１以上の炭化水素などが挙げられる。塩基性色素は、水溶液中でプラスにチャージするものとしてもよい。また、塩基性色素は、眼科用部材に付着する物質（異物）として、例えば、微生物、原生動物、タンパク質、カルシウム、脂質、ほこり、化粧品などのうち１以上を染色するものとしてもよい。これらのうち、この液剤は、衛生的観点から、微生物及びタンパク質のうち１以上を染色することが好ましい。塩基性の色素は、微生物に対する染色性が高い。また、塩基性の色素は、コンタクトレンズ用液剤の抗菌、殺菌剤として使用されているビグアニド系のような、水溶液中で高い塩基性を有する薬剤との作用性が低いため、これらとの相性がよい。
【００１３】
この塩基性色素は、トリアリールメタン系色素、ジアリールメタン系色素、ベンゾチアゾール系色素、フェナジン系色素、芳香族アゾ化合物系色素、フェノチアジニウム系色素、キサンチリウム系色素及びフタロシアニン系色素のうち１以上であるものとしてもよい。トリアリールメタン系色素としては、クリスタルバイオレット（式１）、ゲンチアナバイオレット、メチルバイオレット（式２）、メチルグリーン（式３）、塩基性フクシン（式４）などが挙げられる。なお、以下に示す化学式は、基本構造式の一例であり、塩基性色素としては、これらの誘導体なども含む。ジアリールメタン系色素としては、オーラミン（式５）などが挙げられる。ベンゾチアゾール系色素としては、ベーシックイエロー（式６）などが挙げられる。フェナジン誘導体色素としては、サフラニン（式７）、ヤヌスグリーン（式８）などが挙げられる。芳香族アゾ化合物系色素としては、フェニルアゾナフトール系色素であるビスマルクブラウン（式９）などが挙げられる。フェノチアジニウム系色素としては、トルイジンブルー（式１０）、チオニン（式１１）、ギムザなどが挙げられる。なお、ギムザは、メチレンブルーとエオシンＹ（式１２）との混合物である。また、キサンチリウム系色素としては、ローダミン（式１３）などが挙げられる。フタロシアニン系色素としては、アルシアンブルーなどが挙げられる。
【００１４】
【化１】
2018138958.tif 000002
【００１５】
【化２】
2018138958.tif 000003
【００１６】
塩基性色素の添加量は、視感透過率が４０％以上９８％以下の範囲となるよう適宜選択すればよい。あるいは、塩基性色素の添加量は、サイズが直径１５〜２０ｍｍ、高さ２０〜３０ｍｍである透明容器に液剤を１．５〜３ｍＬ入れた際に、向こう側が見える程度の範囲に適宜選択すればよい。視感透過率は、紫外可視分光光度計を用いて測定した値とし、５０％以上であることがより好ましく、６０％以上であることが更に好ましい。また、この視感透過率は、９０％以下としてもよいし、８５％以下であるものとしてもよい。塩基性色素の添加量は、例えば、トリアリールメタン系色素では、０．５〜１０ｐｐｍの添加濃度の範囲がより好ましく、ベンゾチアゾール系色素では、１〜１００ｐｐｍの添加濃度の範囲がより好ましく、フェナジン誘導体色素では、１０〜１０００ｐｐｍの添加濃度の範囲がより好ましい。
【００１７】
この液剤には、物質の染色の効果を損なわない限りにおいて、塩基性色素とは異なる他の成分を含むものとしてもよい。このような成分としては、薬効を期待した有効成分や製剤設計上必要とされる添加剤等が挙げられる。このような成分としては、具体的には、例えば界面活性剤、キレート化剤、ｐＨ調整剤、緩衝剤、増粘剤、湿潤剤、等張化剤、安定剤、香料又は清涼化剤、薬剤、抗菌剤、防腐剤・殺菌剤等が挙げられる。これらの成分は、一種又は二種以上組み合わされて液剤に含まれるものとしてもよい。このような添加成分は、それぞれの目的に応じてその添加量を選択するものとすればよく、例えば、１つの成分について１．０質量％以下の範囲で液剤に含まれるものとしてもよい。また、この添加成分の配合量は、液剤全体に対して０．０００１質量％以上であることが好ましく、０．００１質量％以上であることがより好ましい。
【００１８】
界面活性剤としては、ノニオン系界面活性剤、アニオン系界面活性剤、両性界面活性剤のうち１以上が挙げられる。ノ二オン系界面活性剤としては、例えば、テトラオレイン酸ポリオキシエチレンソルビット、ポリオキシエチレンポリオキシプロピレングリコール（ポロクサマー類）、エチレンジアミンテトラポリオキシエチレンポリオキシプロピレン（ポロキサミン類）、ポリグリセリン脂肪酸エステル、ポリオキシエチレンソルビタン脂肪酸エステル（高純度ポリソルベート、ポリソルベート類）、ポリオキシエチレンアルキルフェニルエーテルホルムアルデヒド縮合物、ポリオキシエチレン硬化ヒマシ油、ポリオキシエチレンアルキルフェニルエーテル、ポリオキシエチレングリセリン脂肪酸エステル、ポリオキシエチレンヒマシ油、ポリオキシエチレンステロール、ポリオキシエチレン水素添加ステロール、ポリオキシエチレン脂肪酸エステル、ポリオキシエチレンポリオキシプロピレンアルキルエーテル、ポリオキシエチレンラノリンアルコール、ポリオキシエチレンアルキルアミン、ポリオキシエチレンアルキルアミドなどが挙げられる。このうち、洗浄剤としては、テトラオレイン酸ポリオキシエチレンソルビット、ポリオキシエチレンポリオキシプロピレングリコール（ポロクサマー類）、エチレンジアミンテトラポリオキシエチレンポリオキシプロピレン（ポロキサミン類）、ポリオキシエチレン硬化ヒマシ油などが好ましい。
【００１９】
また、アニオン系界面活性剤としては、テトラデセンスルホン酸塩、アルキルスルホン酸塩、アルキル硫酸塩、アルキルスルホ酢酸塩、ポリオキシエチレンラウリルエーテル酢酸塩、ポリオキシエチレンアルキルエーテルリン酸塩、ポリオキシエチレンアルキルエーテルカルボン酸塩、ポリオキシエチレンアルキルエーテル硫酸塩、アルキル脂肪酸塩、アルキルリン酸塩などが挙げられる。また、両性界面活性剤としては、アルキルジメチルアミノ酢酸ベタイン、アルキルジメチルアミンオキサイド、アルキルヒドロキシスルホベタイン、Ｎ−アシルタウリン塩、アルキルグルタミン酸塩、アルキルグリシン塩、アルキルアラニン塩、ココイル脂肪酸アルギニン、アルキルオキシヒドロキシプロピルアルギニン塩、ココイルアルギニンエチルＰＣＡなどが挙げられる。このうち、アルキルジメチルアミノ酢酸ベタイン、アルキルジメチルアミンオキサイド、アルキルヒドロキシスルホベタインなどが好ましい。
【００２０】
キレート化剤としては、例えばエチレンジアミン四酢酸（ＥＤＴＡ）及びその塩（エチレンジアミン四酢酸・２ナトリウム（ＥＤＴＡ・２Ｎａ）、エチレンジアミン四酢酸・３ナトリウム（ＥＤＴＡ・３Ｎａ）、エチレンジアミン四酢酸・４ナトリウム（ＥＤＴＡ・４Ｎａ）等）、ニトリロ三酢酸及びその塩、ヒドロキシエタンジスルホン酸及びその塩、クエン酸、グルコン酸、酒石酸及びそれらの塩（例えばナトリウムなどのアルカリ塩）等が挙げられる。
【００２１】
ｐＨ調整剤としては、例えば塩酸、酢酸、水酸化ナトリウム、水酸化カリウム、炭酸ナトリウム、炭酸水素ナトリウム、ホウ酸、ホウ砂、リン酸水素ナトリウム、リン酸二水素ナトリウム等のリン酸塩、硫酸等が挙げられる。ｐＨ調整剤を添加することによって、液剤のｐＨを４．０〜９．０、より好ましくは、６．０〜８．０程度に調整する。
【００２２】
緩衝剤としては、例えば、クエン酸、リンゴ酸、乳酸、アスコルビン酸、マレイン酸、グルコン酸、リン酸、ホウ酸、オキシカルボン酸や、グリシン、グルタミン酸などのアミノ酸、トリス（ヒドロキシメチル）アミノメタン（Ｔｒｉｓ）緩衝液、などの酸や塩（例えばナトリウムなどのアルカリ塩）、タウリンやその誘導体を含むＧｏｏｄ−Ｂｕｆｆｅｒ、ヒドロキシアルキルアミン等が挙げられる。
【００２３】
増粘剤としては、例えば、ポリビニルアルコール（完全ケン化物もしくは部分ケン化物）、ポリビニルピロリドン、ポリエチレングリコール、ポリプロピレングリコール、ポリアクリルアミド等の合成有機高分子化合物等や、ヒドロキシエチルセルロース、ヒドロキシメチルセルロース、ヒドロキシプロピルセルロース、ヒドロキシプロピルメチルセルロース（ヒプロメロース）などのセルロース誘導体、カルボキシメチルスターチナトリウム、ヒドロキシエチルスターチなどのスターチ誘導体、グアーガム誘導体、コンドロイチン硫酸塩、ヒアルロン酸などが挙げられる。
【００２４】
湿潤剤としては、例えば、グリセリン、プロピレングリコール、ポリエチレングリコール、ポリオキシエチレンヒマシ油、ポリプロピレングリコール、キシリトール、ソルビトール、マンニトール、エリトリトール、トレハロース、ブドウ糖、スクロース、マルトース、ラクトースなどの多価アルコールや糖、糖アルコール、グルコサミン（塩）、アセチルグルコサミン、ガラクトサミン、アセチルガラクトサミン等のアミノ糖、グルコシルトレハロースなどの糖誘導体、ポリビニルピロリドン、ポリ（メタ）アクリル酸及び塩、ポリビニル化合物、ヒドロキシプロピルメチルセルロース（ヒプロメロース）等のセルロース誘導体、エタノール、ラウリルアルコール等の低級あるいは高級アルコール類、ヒマシ油等の油脂類等が挙げられる。
【００２５】
等張化剤としては、例えば塩化ナトリウム、塩化カリウム、亜硫酸水素ナトリウム、亜硫酸ナトリウム、塩化マグネシウム、酢酸カリウム、酢酸ナトリウム、チオ硫酸ナトリウム、硫酸マグネシウム等の無機塩類、プロピレングリコール、グリセリン等の多価アルコール若しくはそのエーテル又はエステル等が挙げられる。
【００２６】
安定剤としては、アスコルビン酸、アスコルビン酸グルコシド、エデト酸ナトリウム、シクロデキストリン、縮合リン酸、亜硫酸塩、クエン酸、トロメタモール、ナトリウムホルムアルデヒドスルホキシレート（ロンガリット）、シアノコバラミン、塩酸ピリドキシン、トコフェロール、ピロ亜硫酸ナトリウム、モノエタノールアミン、モノステアリン酸アルミニウム等が挙げられる。
【００２７】
香料又は清涼化剤としては、例えばアネトール、オイゲノール、カンフル、クロロブタノール、ゲラニオール、シネオール、ボルネオール、メントール、リモネン、リュウノウ、ウイキョウ油、クールミント油、ケイヒ油、スペアミント油、ハッカ水、ハッカ油、ペパーミント油、ベルガモット油、ユーカリ油、ローズ油などが挙げられる。
【００２８】
薬剤としては、例えばクロモグリク酸、マレイン酸クロルフェニラミン、塩酸ジフェンヒドラミン、アンレキサノクス、イブジラスト、ペミロラストカリウム、フマル酸エメダスチン、フマル酸ケトチフェン、塩酸オロパタジン、エバスチン、レボカバスチン、塩酸セチリジン等の抗アレルギー剤や、グリチルリチン酸及びその塩、ε−アミノカプロン酸、アラントイン、アズレンスルホン酸ナトリウム、塩化ベルベリン、硫酸ベルベリン、硫酸亜鉛、乳酸亜鉛、リゾチーム、フルオロメトロン等のステロイド系または非ステロイド系の消炎剤、エピネフィリン、塩酸エピネフィリン、塩酸エフェドリン、塩酸ナファゾリン、硝酸ナファゾリン、塩酸フェニレフリン、塩酸テトラヒドロゾリン等の血管収縮剤、メチル硫酸ネオスチグミン等のピント調節機能改善剤、ベタキソロール、チモロール、ジピベフリン、カルテオロール、ラタノプラスト、タフルプラスト、トラボプラスト、ニプラジロール、レボブノール等の眼圧降下剤、レバミピド、ジクアホソルナトリウム等の涙液・ムチン分泌産生促進剤等、フラビンアデニンジヌクレオチドナトリウム、シアノコバラミン、酢酸レチノール、パルミチン酸レチノール、塩酸ピリドキシン、パンテノール、パントテン酸カルシウム、パントテン酸ナトリウム、酢酸トコフェロール、アスコルビン酸、アスコルビン酸グルコシド等のビタミン類、アスパラギン酸及びその塩、アミノエチルスルホン酸、コンドロイチン硫酸塩、アルギニン、アラニン、リジン、グルタミン酸等のアミノ酸類等が挙げられる。
【００２９】
抗菌剤としては、例えばスルファメトキサゾール、スルファメトキサゾールナトリウム、スルフィソキサゾール、スルフィソミジンナトリウム等のサルファ剤、オフロキサシン、ノルフロキサシン、レボフロキサシン、ガチフロキサシン、モキシフロキサシン、トスフロキサシン、ロメフロキサシン、シプロフロキサシン等のニューキノロン系抗菌剤、トブラマイシン、ゲンタマイシン、ミクロノマイシン、ジベカシン、シソマイシン等のアミノグリコシド系抗菌剤、テトラサイクリン、ミノサイクリン等のテトラサイクリン系抗菌剤、エリスロマイシン等のマクロライド系抗菌剤、クロラムフェニコール等のクロラムフェニコール系抗菌剤、セフメノキシム等のセフェム系抗菌剤等が挙げられる。
【００３０】
防腐剤・殺菌剤としては、例えばソルビン酸、ソルビン酸カリウム、安息香酸或いはその塩、パラオキシ安息香酸エチル、パラオキシ安息香酸ブチル、パラオキシ安息香酸プロピル、パラオキシ安息香酸メチル、クロロブタノール、塩化ベンザルコニウム、塩酸ポリヘキサニド（ポリヘキサメチレンビグアニド；ＰＨＭＢ）、塩酸アルキルジアミノエチルグリシン、塩化セチルピリジニウム（ＣＰＣ）、クロルヘキシジン、アレキシジン、クロルフェニラミン又はその塩、アラントイン、過酸化水素、二酸化塩素、安定化二酸化塩素、亜塩素酸ナトリウム、過ホウ酸ナトリウム、塩化ポリドロニウム等のポリクオタニウム類等が挙げられる。この中でも保存効力と安全性とのバランスを考慮した場合、さらにはコンタクトレンズへの適用を考慮した場合、ソルビン酸カリウム、塩酸ポリヘキサニド（ポリヘキサメチレンビグアニド；ＰＨＭＢ）、塩酸アルキルジアミノエチルグリシン、クロルヘキシジン、亜塩素酸ナトリウム、過酸化水素、過ホウ酸ナトリウム、塩化ポリドロニウムなどがより好ましい。
【００３１】
この液剤は、塩基性色素のほかに洗浄剤をも含み、付着物質の可視化及び洗浄液の機能を併せ持つものとしてもよい。また、この液剤は、塩基性色素のほかに保存剤をも含み、付着物質の可視化及びコンタクトレンズの保存液の機能を併せ持つものとしてもよい。また、この液剤は、塩基性色素のほかに殺菌剤をも含み、付着物質の可視化及びコンタクトレンズの殺菌液の機能を併せ持つものとしてもよい。あるいは、この液剤は、上記付着物質の可視化、洗浄機能、保存機能及び殺菌機能のうち３以上を任意に組み合わせたものとしてもよい。この液剤は、コンタクトレンズ消毒液、コンタクトレンズ洗浄液、コンタクトレンズ用保存液、コンタクトレンズ用すすぎ液、コンタクトレンズ用装着剤、コンタクトレンズ用湿潤剤、コンタクトレンズ用流通保存液などの用途、及びこれらの用途の組み合わせとしてもよい。組み合わせとしては、例えば、所謂マルチパーパスソリューションと呼ばれるような、コンタクトレンズ洗浄・消毒・保存液などとして用いることができる。このうち、コンタクトレンズ用洗浄液やコンタクトレンズ用保存液などが、眼科用部材に付着した物質を可視化するのに好適である。ユーザは、付着物質を視認して、更なる洗浄として汚れた部分のこすり洗いなどを行ったり、新たなものに取り替えるなど対処できる。
【００３２】
この液剤は、コンタクトレンズ、コンタクトレンズケース及びコンタクトレンズ用液剤ボトルのうち１以上の眼科用部材に用いられる。この眼科用部材は、繰り返し使用可能な部材であるものとしてもよい。コンタクトレンズケースや、液剤ボトルは、例えば、ポリエチレン、ポリプロピレン、ポリエチレンテレフタレート、ポリカーボネート、ポリスチレン、アクリロニトリル−スチレン共重合体などの樹脂で形成されているものとしてもよい。ケースや液剤ボトルは、透明なものとしてもよいし、透明でないものとしてもよい。
【００３３】
この液剤は、各種の公知のコンタクトレンズに対して使用することができる。具体的には、ハードコンタクトレンズ、ソフト（ハイドロゲル）コンタクトレンズ、非視力補正用ソフト（ハイドロゲル）コンタクトレンズなどが含まれる。なお、非視力補正用ソフト（ハイドロゲル）コンタクトレンズとは、コンタクトレンズの効能・効果に「虹彩又は瞳孔の外観（色、模様、形）を変えること」を含むものであり、いわゆる「おしゃれ用ソフトコンタクトレンズ」である。この液剤で使用されるコンタクトレンズには、ＩＳＯ１８３６９−１（２００６およびＡｍｅｎｄｍｅｎｔ１，２００９) にてグループＩ〜Ｖとして分類されるハイドロゲル素材のもの、ならびにグループＩ〜ＩＶとして分類される非ハイドロゲル素材のものも含まれる。ハードコンタクトレンズには、ポリメチルメタクリレートを主成分とする非酸素透過性ハードコンタクトレンズや、シリコーンやフッ素を含み酸素透過性を付与した酸素透過性ハードコンタクトレンズ（ＲＧＰ）も含まれる。更に、この液剤で使用されるコンタクトレンズには、シリコーン化合物を主成分とするソフトコンタクトレンズなども含まれる。このうち、この液剤は、ハードコンタクトレンズに用いることが好ましい。液剤に含まれる塩基性色素を洗い流しやすいためである。ハードコンタクトレンズは、例えば、重合性組成物を重合させて塊状重合物（ブランクス）を得たのち、これを切削加工、研磨加工して作製してもよいし、重合性組成物を成形型に充填し、硬化させて作製してもよい。また、コンタクトレンズは、加熱により重合したものとしてもよいし、光照射により重合したものとしてもよい。
【００３４】
（液剤の使用方法）
次に、この液剤の使用方法について説明する。この使用方法は、上述したいずれかのコンタクトレンズ、コンタクトレンズケース及びコンタクトレンズ用液剤ボトルのうち１以上の眼科用部材に対して、上述したいずれかの液剤を接触させることにより、眼科用部材に付着する物質を染色するものである。何らかの付着物質が存在する眼科用部材にこの液剤が接触すれば、この付着物質が塩基性色素により染色されるため、眼科用部材の汚れなどをユーザは視認することができる。このとき、ユーザは、再度の洗浄を行うか、新たなものに替えるかなどを判断することができる。液剤と眼科用部材との接触は、例えば、コンタクトレンズであれば、液剤内に浸漬させて静置すればよいし、ケースやボトルであれば、その容器内に液剤を入れて静置すればよい。液剤と眼科用部材との接触時間は、塩基性色素の配合量などに基づいて適宜設定すればよく、例えば、５分以上や１０分以上としてもよく、１時間以下などとしてもよい。液剤と眼科用部材との接触温度は、塩基性色素の種別や染色したい物質に応じて適宜設定すればよく、室温などが好ましい。
【００３５】
以上詳述した本実施形態の液剤及びその使用方法では、眼科用部材に付着した物質を可視化することができる。従来、このような液剤は無色透明であり、眼科用部材に付着した汚れなどの異物は目視することが困難であった。これに対して、この液剤は、水溶液中でプラスにチャージされる塩基性色素を含んでおり、眼科用部材に付着しマイナスにチャージしている異物（微生物、タンパク質など）と結合し、これを染色することができるため、眼科用部材に付着した物質を可視化することができるものと考えられる。そして、付着物質を染色し可視化することができるため、ユーザは、更なる洗浄として汚れた部分のこすり洗いなどを行ったり、新たなものに取り替えるなど対処できる。また、この液剤は、視感透過率が４０％以上９８％以下の範囲であるため、目で見た感覚における透明度（濃さ）が良好であり、使用しやすい。塩基性色素の添加量が多くなれば、付着物質の染色性は高まるが、不要な箇所に接触した際に色が落ちにくいなどの使い勝手の悪さや、見た目のイメージが悪いという問題が生じうる。一方、この液剤では、視感透過率が良好であり、そのような問題も生じにくい。
【００３６】
なお、本発明は上述した実施形態に何ら限定されることはなく、本発明の技術的範囲に属する限り種々の態様で実施し得ることはいうまでもない。
【実施例】
【００３７】
以下には、本発明の液剤を具体的に作製した例を実験例として説明する。なお、実験例１〜１０、１６、１９が実施例に相当し、実験例１１〜１５、１７、１８、２０が比較例に相当する。なお、本開示は下記の実施例に何ら限定されることはなく、本開示の技術的範囲に属する限り種々の態様で実施し得ることはいうまでもない。
【００３８】
［実験例１〜４］
添加色素として、塩基性色素であるクリスタルバイオレット（式１）を添加濃度０．１ｐｐｍとなるように溶媒である水に溶解させ、実験例１の液剤とした。また、添加濃度を０．５ｐｐｍ、１０ｐｐｍ及び１０００ｐｐｍとした以外は実験例１と同様に調製したものをそれぞれ実験例２〜４の液剤とした。
【００３９】
［実験例５〜７］
添加色素として、塩基性色素であるベーシックイエロー（式６）とし、添加濃度を０．５ｐｐｍ、１ｐｐｍ及び１００ｐｐｍとした以外は実験例１と同様に調製したものをそれぞれ実験例５〜７の液剤とした。
【００４０】
［実験例８〜１０］
添加色素として、塩基性色素であるサフラニン（式７）とし、添加濃度を１ｐｐｍ、１００ｐｐｍ及び２５００ｐｐｍとした以外は実験例１と同様に調製したものをそれぞれ実験例８〜１０の液剤とした。
【００４１】
［実験例１１〜１４］
添加色素として、塩基性色素ではない黄色４号（タートラジン，式１４）とし、添加濃度を１ｐｐｍ、１０ｐｐｍ、１００ｐｐｍ及び１０００ｐｐｍとした以外は実験例１と同様に調製したものをそれぞれ実験例１１〜１４の液剤とした。
【００４２】
【化３】
2018138958.tif 000004
【００４３】
（視感透過率測定）
各液剤の視感透過率を測定した。測定機器として紫外可視分光光度計（島津製作所製ＵＶ２５５０）を用い、測定条件を、透過率０．０〜１００．０、７８０〜３２０ｎｍ、スリット幅２．０、照明Ａ、視野２．０とした。測定は、以下の手順にて行った。まず、対照側、試料側共に純水をキュベットに入れてセットし、ゼロ点補正を行った。次に、試料側に、測定する液剤をキュベットに入れてセットし、測定を行った。
【００４４】
（染色性評価）
眼科用部材としてのコンタクトレンズケースに付着した物質に対する液剤の染色性について評価した。被験物として、ユーザが使用したエピカコールド用ケース（コンタクトレンズケース）を用いた。この被験物内に上記実験例１〜１４の液剤を入れ、１０分以上室温（２０℃）で静置することにより、被験物の内壁に付着した物質を染色させ、その染色性について目視により評価した。被験物の内壁に染色されている領域を明確に目視できる場合を「Ａ」とし、染色されている領域が確認できない場合を「Ｃ」として評価した。
【００４５】
（目視による色調濃さ評価）
上記液剤の色調濃さを目視で評価した。液剤を透明な円柱状ハードコンタクトレンズ用ケースに入れたときに、液剤を透過した向こう側が視認できる場合を「Ａ」とし、液剤により向こう側が視認できない場合を「Ｃ」として評価した。
【００４６】
（結果と考察）
図１は、目視による色調濃さ評価を行ったサンプルの写真である。また、表１に、液剤に添加した色素、添加濃度、視感透過率（％）、染色性評価、色調濃さ評価の結果をまとめた。表１に示すように、実験例１１〜１４の黄色４号では、視感透過率が９４〜９８％と高く、色調濃さは好適であったが、付着物質の染色を確認することができなかった。一方、塩基性色素を含む実験例１〜１０では、視感透過率が４０％〜９８％の範囲にあれば、液剤の色調濃さが良好で、付着物質の染色性も良好であり、眼科用部材に付着した汚れなどを可視化することができることがわかった。特に、クリスタルバイオレットなどの青系の塩基性色素が付着物質の視認性が良好であった。また、クリスタルバイオレットは、０．５〜１０ｐｐｍの添加濃度の範囲で良好であった。ベーシックイエローは、１〜１００ｐｐｍの添加濃度の範囲で良好であった。サフラニンは、１０〜１０００ｐｐｍの添加濃度の範囲で良好であると推察された。
【００４７】
【表１】
2018138958.tif 000005
【００４８】
［染色特性の確認（微生物以外の付着物）］
眼科用部材としてのコンタクトレンズケースに付着した物質について検討した。被験物としてエピカコールド用ケース（コンタクトレンズケース）を用いた。ケース処理方法としてエピカコールド（メニコンネクト製）で被験物をこすり洗い無しで３０回処理したものを下記の観察に用いた。液剤は、精製水１００ｍＬに対し、クリスタルバイオレット（和光純薬工業製Cat.No.038-04862）を０．０５ｇを加え、溶解させて調整した（５００ｐｐｍ）。また、１０％中性緩衝ホルムアルデヒド液（ナカライテスク製Cat.No.37152-64）を固定液として用いた。使用者に使用された被験物を用い、以下の操作を行った。まず、被験物内のコンタクトレンズおよび保存液を除去した。次に被験物の内側の写真を撮影した。次に、上記固定液で５分以上固定した。次に、上記液剤を被験物に入れ１０分以上室温（２０℃）で静置し、被験物の内壁に付着した物質を染色した。続いて、被験物の内壁を目視により確認し、必要に応じて実体顕微鏡（ニコン製ＳＭＺ１０００）で確認後、顕微鏡用デジタルカメラ（ニコン製ＤＳ−Ｆｉ２）で撮影して評価した。また、被験物を走査型電子顕微鏡（日本電子製ＪＳＭ−６０１０ＬＡ）で観察、撮影した。被験物を１ｃｍ角にカットしたものをイオンスパッタリング装置で３００Åの金コーティング処理し、電子顕微鏡の観察試料とした。
【００４９】
図２は、被験物のコンタクトレンズケースをホルムアルデヒド液で固定したのちクリスタルバイオレットで染色した実体顕微鏡写真である。図３は、染色後の被験物の走査型電子顕微鏡写真である。エピカコールドで３０回処理した被験物では、染色は肉眼では確認されなかった。一方、実体顕微鏡でこのケースを観察したところ、点状の染色が認められた（図２）。また、染色部分を電子顕微鏡で観察したところ、染色部分に付着物を観察した（図３）。この結果から、エピカコールドにより微生物は除去されているため、クリスタルバイオレットを含む液剤では、微生物以外の付着物を染色していることがわかった。
【００５０】
［染色特性の確認（微生物）］
眼科用部材としてのコンタクトレンズケースに付着した微生物（菌）について詳しく検討した。被験物として、エピカコールド用ケースを用いた。精製水２００ｍＬに対してソイビーン・カゼイン・ダイジェスト培地「ダイゴ」日局試験用（日本製薬製Cat.No.397-01761）を６．０ｇ、Ｄ-(+)-グルコース（ナカライテスク製Cat.No.16806-25）を０．５ｇ加え、加温溶解後、１２１℃、２０分間高圧蒸気滅菌したものを０．２５％グルコース含有ＳＣＤ（0.25％Glu-SCD）とした。液剤は、上記作製したクリスタルバイオレット液とした。また、上記１０％中性緩衝ホルムアルデヒド液を固定液として用いた。試験菌株をStaphylococcus epidermidis NBRC35983とした。培養条件としては、培地をＳＣＤＡ、培養温度を３０〜３５℃、培養時間を１８〜２４時間（実測２０時間１５分）とした。評価の前に、まず接種菌懸濁液を調製した。この処理では、試験菌株を上記条件で培養した。培地上に育成した菌を０．０５ｗ／ｖ％ポリソルベート８０含有ペプトン食塩緩衝液（以下、０．０５％ＢＳＣＰＳＴと称する）に懸濁した。３０００ｒｐｍで５分間遠心分離して集菌した。菌懸濁液の上澄みを除去し、０．０５％ＢＳＣＰＳＴを加えてよく懸濁し、更に遠心分離する処理を計３回繰り返した。菌懸濁液を０．０５％ＢＳＣＰＳＴで希釈し、生菌数を約１．０×１０8ｃｆｕ／ｍＬに調製した。菌懸濁液は、調製後、その日のうちに使用した。
【００５１】
次に、被験物３個に対して、以下の操作を行った。各被験物（ケース及びフタ）をエタノールで清拭し、安全キャビネット内で乾燥させたものに0.25％Glu-SCDを２ｍＬ入れた。そのケースに上記調製した菌懸濁液を１００μＬ（約１．０×１０7ｃｆｕ／ｍＬ）入れた。次に、フタを閉め、３２℃のインキュベータ内で２４〜７２時間培養した（実測４７時間１０分）。培養終了後にケースを反転し、培養液を除去した。個々に滅菌水を静かに入れ、ケースを反転して滅菌水を除去した。これを３回繰り返した。被験物１はフタ及びケース、被験物２はケースとした。また、被験物のフタは、１２ウェルプレート（ファルコン製Cat.No.353225）に滅菌水を加え、これに静かに入れて優しく洗浄した。洗浄後、固定液をケース内に満たし、１０分以上固定した。フタについては、１２ウェルプレートに固定液を入れ、その中にフタを入れて固定した。次に、固定液を除去し、上記液剤を用いて固定時と同様に３０分、室温で染色した。染色後は水で染色液を十分に落とし、乾燥させた。続いて、ケース本体およびフタに対して、目視でバイオフィルム形成量を比較した。また、フタについては、実体顕微鏡でキズ部分を観察し、ケース本体の染色部分も同様に観察した。これらの部分をハサミで１ｃｍ角にトリミングし、イオンスパッタリング装置を用いて約３００Åの金コーティング処理を行い、上記走査型電子顕微鏡を用いて、菌付着部分の電子顕微鏡観察を行った。
【００５２】
図４、５は、培養した菌を付着させて染色した被験物の実体顕微鏡写真である。図６、７は、培養した菌を付着させて染色した被験物の走査型電子顕微鏡写真である。染色した被験物を実体顕微鏡で観察したところ、図４、５に示すように、側部に部分的な染色が観察された。また、染色した被験物を電子顕微鏡で観察したところ、図６、７に示すように、バイオフィルムの形成が認められた。この結果から、クリスタルバイオレットを含む液剤では、菌などの微生物の付着物をも染色していることがわかった。
【００５３】
［消毒効果試験（菌株１，２）］
塩基性色素および酸性色素を溶解したエピカコールド（メニコンネクト製）の消毒効果試験を行った。一定濃度の塩基性色素および酸性色素をエピカコールドに溶解させ、それぞれの色素共存下での消毒効果試験を実施した。液体としてエピカコールドを用い、塩基性色素としてクリスタルバイオレット（和光純薬工業製）、酸性色素としてスルホブロモフタレインナトリウム塩（ＭＰバイオメディカル製）を用いた。なお試験には、菌株１：Staphylococcus aureus NBRC13276及び菌株２：Candida albicans IFO 1594の２種の菌を使用した。クリスタルバイオレット（ＣＶ）１２ｍｇを量りとり、エピカコールド１２ｍＬに溶解させて試験液を調製した（ＣＶ濃度：１０００ｐｐｍ）。また、スルホブロモフタレインナトリウム塩（ＳＢＰ）１５ｍｇを量りとり、エピカコールド１５ｍＬに溶解させて試験液を調製した（ＳＢＰ濃度：１０００ｐｐｍ）。
【００５４】
細菌及び酵母の菌懸濁液を以下の条件で調製した。まず、試験菌株を表２の条件で培養し、培地上に生育した菌を０．０５ｗ／ｖ％ポリソルベート８０含有ペプトン食塩緩衝液（０．０５％ＢＳＣＰＳＴ）に懸濁した。この緩衝液は、ペプトン食塩緩衝液ｐＨ７．０「ダイゴ」日局試験用（日本製薬製）１４．６ｇと、ポリオキシエチレン（２０）ソルビタンモノオレエート（ポリソルベート８０；和光純薬工業製）０．５ｇとを精製水１Ｌに加え、加温溶解後、１２１℃、２０分間高圧蒸気滅菌したものを用いた。この懸濁液を３０００ｒｐｍで５分間遠心して集菌した。菌懸濁液の上清を除去し、０．０５％ＢＳＣＰＳＴを加えてよく懸濁し、遠心して洗浄する処理を計３回繰り返した。菌懸濁液を０．０５％ＢＳＣＰＳＴで希釈し、生菌数を約１０7〜１０8ｃｆｕ／ｍＬの範囲に調整した。菌株１（S.aureus）では、２．８９×１０7ｃｆｕ／ｍＬであり、菌株２（C.albicans）では、２．６３×１０7ｃｆｕ／ｍＬであった。菌懸濁液は、調製後、使用時まで冷蔵後で保存した。
【００５５】
【表２】
2018138958.tif 000006
【００５６】
滅菌済プラスチックチューブ（ポリプロピレン製、容量１５ｍＬ）を用意し、エピカコールドの試験液を５ｍＬ×２本ずつ分注した。上記調製した菌懸濁液を、プラスチックチューブに５０μＬ接種し、攪拌後、２２℃に設定したプログラム低温恒温器（２０〜２５℃）で保温した。接種４時間後の残存生菌数を測定するため、チューブ内の液を１ｍＬ採取し、ＤＥＢで段階的に１０倍希釈し、１ｍＬを培地に混釈した。ＤＥＢは、Difco D/E Neutralizing Broth（BD)３９ｇを精製水１Ｌに加え、加温溶解後、１２１℃、２０分間高圧蒸気滅菌したものを用いた。菌株１はＳＣＤＡで、菌株２はＳＤＡを用い、各群につき３枚ずつ使用し、インキュベーターで表２の条件で培養した。ソイビーン・カゼイン・ダイジェストカンテン培地「ダイゴ」日局試験用（日本製薬製）４０ｇを精製水１Ｌに加え、加温溶解後、１２１℃、２０分間高圧蒸気滅菌したものをＳＣＤＡとして用いた。また、サブロー・ブドウ糖カンテン培地「ダイゴ」日局試験用（日本製薬製）６５ｇを精製水１Ｌに加え、加温溶解後、１２１℃、２０分間高圧蒸気滅菌したものをＳＤＡとして用いた。３枚のプレートの平均値とその希釈倍率から、被験物質中の生菌数を算出した。なお、コロニー数の平均値は小数点以下第１位を四捨五入して整数値で表示し、生菌数はコロニー数の平均値に１０の希釈段数乗をかけた表示とした。また、次式に従って各測定時でのＬｏｇ  ｒｅｄｕｃｔｉｏｎ値を計算した。計算した値は小数第２位を四捨五入し、小数第１位まで表示した。なお各色素の共存により、エピカコールドの消毒効果に違いがあるかを確認した。
Ｌｏｇ  ｒｅｄｕｃｔｉｏｎ  ＝ ｌｏｇ（接種菌数）−ｌｏｇ（残存生菌数）
＝  ｌｏｇ（接種菌数／残存生菌数）
【００５７】
エピカコールドに溶解した各色素における残存生菌数及びＬｏｇ  ｒｅｄｕｃｔｉｏｎ値を表４及び５に示した。表３には、培養した菌株１，２の接種菌数を示した。菌株１に対するエピカコールド単体を実験例１５、クリスタルバイオレット（塩基性色素）を加えたエピカコールドを実験例１６、スルホブロモフタレインナトリウム塩を加えたエピカコールドを実験例１７とした。これらの実験例の菌株１に対するＬｏｇ  ｒｅｄｕｃｔｉｏｎ値はそれぞれ３．５ｌｏｇ，＞４．５ｌｏｇ，０．１ｌｏｇであった。また、菌株２に対するエピカコールド単体を実験例１８、クリスタルバイオレットを加えたエピカコールドを実験例１９、スルホブロモフタレインナトリウム塩を加えたエピカコールドを実験例２０とした。これらの菌株２に対するＬｏｇ  ｒｅｄｕｃｔｉｏｎ値はそれぞれ２．６ｌｏｇ、＞４．４ｌｏｇ，０ｌｏｇであった。以上の結果から、１０００ｐｐｍのＣＶを共存させたエピカコールドは、菌株１，２に対してエピカコールド単体以上の殺菌効力を有することがわかった。また、１０００ｐｐｍのＳＢＰを加えたエピカコールドでは、菌株１，２に対する殺菌効力が消失することが明らかとなった。すなわち塩基性色素であるＣＶはエピカコールドに含まれる有効成分（ポリヘキサメチレングアニジン：ＰＨＭＢ）を阻害することはなく、酸性色素であるＳＢＰはＰＨＭＢと結合するため、消毒効果が著しく低下することが推察された。
【００５８】
【表３】
2018138958.tif 000007
【００５９】
【表４】
2018138958.tif 000008
【００６０】
【表５】
2018138958.tif 000009
【００６１】
実験例１〜１０の液剤は、塩基性であり、水溶液中でプラスでチャージされている一方、微生物の殺菌や除去で用いられる殺菌剤や界面活性剤についても水溶液中でプラスにチャージされる。このため、この液剤では、殺菌剤や界面活性剤との結合などが抑制されるため、付着物の染色や殺菌、除去が互いに抑制されずに十分効果を発揮することができるものと推察された。
【産業上の利用可能性】
【００６２】
本明細書で開示される液剤は、コンタクトレンズ、コンタクトレンズケース及びコンタクトレンズ用液剤ボトルのうち１以上の眼科用部材に用いることができる。
【図１】
2018138958.tif 000010
【図２】
2018138958.tif 000011
【図３】
2018138958.tif 000012
【図４】
2018138958.tif 000013
【図５】
2018138958.tif 000014
【図６】
2018138958.tif 000015
【図７】
2018138958.tif 000016